(57)【要約】【課題】部品点数を削減することができ、単体コストや製造コストを抑制することが可能な妻側先行手摺りを提供する。【解決手段】本発明の妻側先行手摺り１０は、上側手摺り部材２０と、下側手摺り部材３０と、前記上側手摺り部材２０と前記下側手摺り部材３０の一方端側と他方端側で、前記上側手摺り部材２０と前記下側手摺り部材３０のそれぞれに対して回動するように取り付けられた一対の棹部材（主棹部材４０）と、前記一対の棹部材（主棹部材４０）のそれぞれに設けられ、仮設足場を構成する支柱におけるフランジの孔で係止される上端係止部４１及び下端係止部５０と、からなることを特徴とする。【選択図】  図１
2020139301.tif 000002
【特許請求の範囲】
【請求項１】
上側手摺り部材と、
下側手摺り部材と、
前記上側手摺り部材と前記下側手摺り部材の一方端側と他方端側で、前記上側手摺り部材と前記下側手摺り部材のそれぞれに対して回動するように取り付けられた一対の棹部材と、
前記一対の棹部材のそれぞれに設けられ、仮設足場を構成する支柱におけるフランジの孔で係止される上端係止部及び下端係止部と、からなることを特徴とする妻側先行手摺り。
【請求項２】
前記下端係止部には、ロック部材が設けられることを特徴とする請求項１に記載の妻側先行手摺り。
【請求項３】
前記ロック部材がバネ部材で付勢されてなることを特徴とする請求項２に記載の妻側先行手摺り。
【請求項４】
前記一対の棹部材には取っ手として機能するハンドル部がそれぞれ設けられることを特徴とする請求項１乃至請求項３のいずれか１項に記載の妻側先行手摺り。
【請求項５】
前記棹部材は、主棹部材と副棹部材とが連結されてなることを特徴とする請求項１乃至請求項４のいずれか１項に記載の妻側先行手摺り。
【発明の詳細な説明】
【技術分野】
【０００１】
本発明は、本発明は、建設現場等の足場用の手摺りであり、特に、仮設足場を構築するに際し、足場の妻側において、上層作業床を設置する前に下層作業床から上層に設置される妻側先行手摺りに関する。
【背景技術】
【０００２】
従来、建設現場等における仮設足場の構築に関して、作業者の安全のため、手摺り先行工法が推奨されている。このような工法で用いる先行手摺りとしては、例えば、引用文献１（特開２０１０−２２９７００号公報）では、一対の斜材からなる交さ筋かいにより作業者の落下防止が図るものが提案されていた。しかしながら、引用文献１記載のものでは、前記交さ筋かいのすき間からの墜落の可能性を完全には無くすことができない、という問題があった。
【０００３】
そこで、発明者らは、引用文献２（特開２０１９−１５１２５号公報）において、両端に係止部が設けられた上側手摺り部材と、両端に係止部が設けられた下側手摺り部材と、前記上側手摺り部材と前記下側手摺り部材の一方端側と他方端側で、前記上側手摺り部材と前記下側手摺り部材のそれぞれに対して回動するように取り付けられた一対の軸部材と、前記一対の軸部材のそれぞれに設けられ、係止部を含むフック部材を保持し、それぞれの前記軸部材の軸を中心に回転する保持部材と、からなる妻側先行手摺りを提案した。
【特許文献１】特開２０１０−２２９７００号公報
【特許文献２】特開２０１９−１５１２５号公報
【発明の概要】
【発明が解決しようとする課題】
【０００４】
特許文献２記載の妻側先行手摺りは、軸部材の軸を中心に回転する保持部材などを構成するため、部品点数が多く、構造が複雑であり、製造費用なども含めコストがかかる、という問題があった。先行手摺りは、一つの現場で多くの数を利用することが一般的であるので、可能な限り先行手摺り単体のコストを抑制することが望ましいが、こが叶わず問題であった。
【課題を解決するための手段】
【０００５】
上記のような問題を解決するために、本発明に係る妻側先行手摺りは、上側手摺り部材と、下側手摺り部材と、
前記上側手摺り部材と前記下側手摺り部材の一方端側と他方端側で、前記上側手摺り部材と前記下側手摺り部材のそれぞれに対して回動するように取り付けられた一対の棹部材と、前記一対の棹部材のそれぞれに設けられ、仮設足場を構成する支柱におけるフランジの孔で係止される上端係止部及び下端係止部と、からなることを特徴とする。
【０００６】
また、本発明に係る妻側先行手摺りは、前記下端係止部には、ロック部材が設けられることを特徴とする。
【０００７】
また、本発明に係る妻側先行手摺りは、前記ロック部材がバネ部材で付勢されてなることを特徴とする。
【０００８】
また、本発明に係る妻側先行手摺りは、前記一対の棹部材には取っ手として機能するハンドル部がそれぞれ設けられることを特徴とする。
【０００９】
また、本発明に係る妻側先行手摺りは、前記棹部材は、主棹部材と副棹部材とが連結されてなることを特徴とする。
【発明の効果】
【００１０】
本発明に係る妻側先行手摺りは、仮設足場を構成する支柱におけるフランジの孔で係止される上端係止部及び下端係止部が一対の棹部材のそれぞれに設けられており、このような本発明に係る妻側先行手摺りによれば、作業者の墜落の可能性を限りなく低減すると共に、構造を単純化できる。また、妻側先行手摺りを構成するための部品点数を削減することができるので、単体コストや製造コストを抑制することが可能となる。
【００１１】
また、本発明に係る妻側先行手摺りによれば、厚生労働省労働局・労働基準監督署により施行されている労働安全衛生規則（足場等関係）の足場等からの墜落防止措置としての規定である「高さ８５センチメートル以上の手摺り」に加え「中さん等」を設けることと、という規則を遵守することが可能となる。
【００１２】
また、本発明に係る妻側先行手摺りによれば、妻部においても、下層作業床から先行して手摺りをかけることができるので、例え、仮に作業者が安全帯の取り付けを忘れてしまったような場合でも、作業者の妻部からの墜落を防止することができる。
【図面の簡単な説明】
【００１３】
【図１】本発明の実施形態に係る妻側先行手摺り１０の斜視図である。
【図２】本発明の実施形態に係る妻側先行手摺り１０の正面図である。
【図３】本発明の実施形態に係る妻側先行手摺り１０における下端係止部５０の透過的斜視図である。
【図４】ロック機構におけるロック部材７０を抜き出して示す図である。
【図５】本発明の実施形態に係る妻側先行手摺り１０におけるロック機構の動作を説明する図である。
【図６】本発明の実施形態に係る妻側先行手摺り１０が取り付けられる支柱１を説明する図である。
【図７】本発明の実施形態に係る妻側先行手摺り１０の支柱１への取り付け工程を説明する図である。
【図８】本発明の実施形態に係る妻側先行手摺り１０の支柱１への取り付け工程を説明する図である。
【発明を実施するための形態】
【００１４】
以下、本発明の実施の形態を図面を参照しつつ説明する。図１は本発明の実施形態に係る妻側先行手摺り１０の斜視図であり、また、図２は本発明の実施形態に係る妻側先行手摺り１０の正面図である。
【００１５】
ところで、厚生労働省労働局・労働基準監督署により施行されている労働安全衛生規則（足場等関係）によれば、足場等からの墜落防止措置としては、「高さ８５センチメートル以上の手摺り」に加え「中さん等」を設けること規定されている。
【００１６】
本発明に係る妻側先行手摺り１０において、上側手摺り部材２０は、本発明に係る妻側先行手摺り１０が、仮設足場を構成する支柱１に取り付けられたとき、上側の手摺りとなる部材であり、前記規則で規定されている「高さ８５センチメートル以上の手摺り」となる部材である。
【００１７】
一方、下側手摺り部材３０は、本発明に係る妻側先行手摺り１０が支柱１に取り付けられたとき、下側の手摺りとなる部材であり、前記規則で規定されている「中さん等」となる部材である。
【００１８】
上側手摺り部材２０や下側手摺り部材３０は、所定の剛性を有する金属材料で構成すれば、どのような金属材料を用いてもよいが、矩形断面を有する中空のアルミニウム材料を用いると、本発明に係る妻側先行手摺り１０を軽量に構成することができ好ましい。
【００１９】
上側手摺り部材２０と下側手摺り部材３０の一方端側と他方端側においては、上側手摺り部材２０と下側手摺り部材３０のそれぞれに対して回動支軸部１５を中心として回動するように一対の主棹部材４０が取り付けられている。
【００２０】
本発明に係る妻側先行手摺り１０においては、上側手摺り部材２０と下側手摺り部材３０と、２つの主棹部材４０の関係をまとめると、図２のａ、ｂ、ｃ、ｄを中心に互いに回動可能なリンク機構を構成しているものと理解することができる。本発明に係る妻側先行手摺り１０は、このようなリンク機構を有するために、運搬の際などには折り畳むことが可能となる。
【００２１】
回動支軸部１５を構成する上では、例えば、上側手摺り部材２０と主棹部材４０とに貫通孔を設けておき、貫通孔にボルトを挿通させてナット締めを行うことで、これを行うことができる。なお、前記ボルトには、適宜ナイロンワッシャーなどの合成樹脂製のワッシャーを介挿させておくと、妻側先行手摺り１０を折り畳む際や、折り畳まれた妻側先行手摺り１０を展開する際、或いは、妻側先行手摺り１０を足場の支柱１に取り付ける際には、適度なアソビができ、スムースにこれらの動作を行いやすい。
【００２２】
本発明に係る妻側先行手摺り１０においては、一対の主棹部材４０のそれぞれは、下方側において、主棹部材４０を延長する部材として、副棹部材４５が溶接などによって連結されている。主棹部材４０及び副棹部材４５を構成するためには鉄パイプなどの汎用部品を利用することで、本発明に係る妻側先行手摺り１０を安価に製造することが可能となる。
【００２３】
主棹部材４０の上端側には上端係止部４１が、また、副棹部材４５の下端側には下端係止部５０が設けられている。上端係止部４１及び下端係止部５０は、仮設足場を構成する支柱１におけるフランジ３の孔５で係止される。
【００２４】
本明細書では、「係止部」は足場を構成する支柱１に一定間隔で設けられているフランジ３に形成された孔５に、上端係止部４１の先端部４２や、下端係止部５０の先端部５２が挿通され、フランジ３に係止される部材であるものと定義する。なお、足場に用いられる支柱１などの図面については、図６以降の図面を参照されたい。
【００２５】
上端係止部４１や下端係止部５０が、フランジ３に係止されることで、本発明に係る妻側先行手摺り１０が、支柱１に対して取り付けられるようになっている。上端係止部４１や下端係止部５０は、所定の剛性を有する金属材料で構成すれば、どのような金属材料を用いてもよいが、支柱１のフランジ３に形成された孔５に挿通されるものであるので、例えば、鉄で構成することが好ましい。
【００２６】
本実施形態においては、主棹部材４０に上端係止部４１が、また、副棹部材４５に下端係止部５０が設けられる構造を有している。すなわち、異なる２本の棹部材のそれぞれに上端係止部４１及びに下端係止部５０が設けられる構造を有しているが、一本の棹部材に上端係止部４１及びに下端係止部５０の双方を設ける構造とすることもできる。
【００２７】
本発明に係る妻側先行手摺り１０が、支柱１に対して取り付けられる際、上端係止部４１及び下端係止部５０は、高い精度で鉛直方向に並んでいる必要がある。すなわち、一本の棹部材に上端係止部４１及びに下端係止部５０の双方を取り付ける際には、それぞれの係止部を棹部材の周方向において正確に位置合わせを行い取り付けなくてはならない。
【００２８】
一方、主棹部材４０には予め上端係止部４１を取り付けておき、また、副棹部材４５には予め下端係止部５０を取り付けておき、後の工程で、主棹部材４０と副棹部材４５とを連結する場合には、厳密な位置合わせは主棹部材４０と副棹部材４５とを連結する際に行うことになる。これらの位置合わせの際には、パイプ部材同士の位置合わせとなるので、位置合わせ作業がし易く、従って、製造が容易となる、というメリットがある。
【００２９】
一対の主棹部材４０のそれぞれの下方側には、取っ手として機能するハンドル部４４がそれぞれ設けられる。本発明に係る妻側先行手摺り１０は、上層作業床を設置する前に下層作業床から作業者が取り付けることが想定されている。このために、棹部材の下方側にハンドル部４４を設けておくと、このような取り付け作業がし易くなる。なお、本実施形態においては、ハンドル部４４を主棹部材４０に設けるようにしているが、副棹部材４５にハンドル部４４を設けるようにしてもよい。
【００３０】
本発明に係る妻側先行手摺り１０においては、上端係止部４１の先端部４２、及び、下端係止部５０の先端部５２がフランジ３の孔５に嵌入されることで、支柱１に取り付けられるようになっている。一方、係止部がフランジ３の孔５に嵌入しただけでは、衝撃等で係止部がフランジ３から脱落してしまうことも考えられる。そこで、本発明に係る妻側先行手摺り１０においては、下端係止部５０においては、フランジ３から脱落しないようにするため、ロック部材７０からなるロック機構が設けられている。
【００３１】
なお、このようなロック機構は、上端係止部４１に設けるようにしてもよいし、下端係止部５０及び上端係止部４１の双方に設けるようにしてもよいが、本発明に係る妻側先行手摺り１０が、上層作業床を設置する前に下層作業床から取り付けられることを勘案すると、下端係止部５０に設けておくことが理にかなっている。
【００３２】
以下、本発明に係る妻側先行手摺り１０におけるロック機構について説明する。図３は本発明の実施形態に係る妻側先行手摺り１０における下端係止部５０の透過的斜視図である。また、図４はロック機構におけるロック部材７０を抜き出して示す図であり、また、図５は本発明の実施形態に係る妻側先行手摺り１０におけるロック機構の動作を説明する図である。
【００３３】
下端係止部５０には、ロック部材７０が配されており、このロック部材７０が下端係止部５０から突出し、フランジ３の外縁部を囲い、再び下端係止部５０に嵌入することで、下端係止部５０がフランジ３から脱落することを防止するものである。
【００３４】
このために、ロック部材７０は略Ｊ字の形状をなす、鉄製の部材で構成されている。ロック部材７０は、第１シャフト部７３と、この第１シャフト部７３から延出し屈曲する第１屈曲部７４と、この第１屈曲部７４から延出する連結部７５と、この連結部７５から延出し屈曲する第２屈曲部７６と、この第２屈曲部７６から延出する第２シャフト部７７とから構成されている。
【００３５】
第１シャフト部７３の端部には第１円錐台部７１が、また、第２シャフト部７７の端部には第２円錐台部７８がそれぞれ形成されている。これらの円錐台部は、副棹部材４５や下端係止部５０に設けられる貫通孔に、ロック部材７０の端部を貫入させる際に、その動作をし易くする効果がある。
【００３６】
第１シャフト部７３の一部には、切り欠き溝８０が形成されている。また、バネ部材９０の一方端には係止端部９５が形成されている。ロック部材７０が下端係止部５０に取り付けられる際には、ロック部材７０における第１シャフト部７３がバネ部材９０に内挿されるような状態で取り付けられる。また、このときロック部材７０の切り欠き溝８０に、バネ部材９０の係止端部９５が係合するようにして配される。また、このときバネ部材９０の他方端は、下端係止部５０の内壁部を押圧するようにして配されている。すなわち、ロック部材７０は下端係止部５０において、バネ部材９０によって付勢された状態で取り付けられている。
【００３７】
また、ロック部材７０における第１シャフト部７３は、下端係止部５０の上側貫通孔５６、副棹部材４５の貫通孔４６の及び貫通孔４７に挿通された状態で下端係止部５０に取り付けられている。また、ロック部材７０における第２シャフト部７７は、下端係止部５０の先端部５２における下側貫通孔５７に挿通された状態で下端係止部５０に取り付けられている。
【００３８】
図５は本発明の実施形態に係る妻側先行手摺り１０におけるロック機構の動作を説明する図であり、特に下端係止部５０内部のバネ部材９０の態様を透過的に見た図である。図５（Ａ）はロック部材７０における第２シャフト部７７が、下側貫通孔５７に挿通された通常状態を示しており、図５（Ｂ）は、図５（Ａ）の状態から矢印方向にロック部材７０を引っぱり出した状態を示している。
【００３９】
図５（Ａ）に示すように通常時は、第２シャフト部７７が下側貫通孔５７に挿通された状態が維持されるようにバネ部材９０の付勢力が働くようになっている。一方、ロック部材７０の連結部７５を持ち、ロック部材７０が下端係止部５０から引っぱり出されると、図５（Ｂ）に示すように、バネ部材９０が縮み、第２シャフト部７７が下側貫通孔５７から完全に抜き出すことができるようになっている。
【００４０】
第２シャフト部７７が下側貫通孔５７から引き抜かれた状態では、図５（Ｂ）に示すように、第１シャフト部７３の軸周りに（ｐ方向またはｑ方向に）、第１シャフト部７３を回動することができるようになっている。
【００４１】
以上のように、本発明に係る妻側先行手摺り１０においては、ロック部材７０を下端係止部５０から引き抜き、ロック部材７０の体勢を変更した後、再び、ロック部材７０の第２シャフト部７７を下側貫通孔５７に挿通させることができるようになっている。本発明に係る妻側先行手摺り１０のロック機構は、このような動作を行い得るので、ロック部材７０によって、フランジ３の外縁部を囲いロックし、下端係止部５０がフランジ３から脱落することを防止することができる。
【００４２】
次に、以上のように構成される本発明に係る妻側先行手摺り１０の支柱１への取り付けについて説明する。図６は本発明の実施形態に係る妻側先行手摺り１０が取り付けられる支柱１を説明する図であり、当該図においては、まだ妻側先行手摺り１０が取り付けられていない支柱１のみが示されている。また、図７、図８は本発明の実施形態に係る妻側先行手摺り１０の支柱１への取り付け工程を、順を追って説明する図である。
【００４３】
図６乃至図８において、２本の支柱１の間が足場の妻部である。紙面奥側が足場内であり、紙面手前側が足場外である。支柱１に配されているそれぞれのフランジ３の近傍には、点線の囲み内にフランジ３の上面図を示している。このような上面図により、フランジ３の孔５のうちどの孔５に係止部が挿通されているかを示すようにする。係止部が挿通されている孔５には、コ字型の図形が示される。また、ロック部材７０が施された箇所については、丸印が示される。なお、囲み内の上面図のフランジ３の下側の孔５が、図７乃至図１０の本図中における手前側の孔５に対応している。
【００４４】
また、図６乃至図８において、それぞれの支柱１にフランジ３は３つ示されており、上から上段のフランジ３、中段のフランジ３、下段のフランジ３と称することとする。
【００４５】
まず、図７の工程では、一方の支柱１の上段のフランジ３の孔５に、上端係止部４１の先端部４２に挿通する。また、一方の支柱１の下段のフランジ３においては、下端係止部５０におけるロック部材７０を引っぱり出しておいた上で、先端部５２を孔５に挿通する。そして、ロック部材７０の第２シャフト部７７を下側貫通孔５７に貫入する。ロック部材７０は、バネ部材９０により第２シャフト部７７を下側貫通孔５７に貫入させる方向に付勢されているので、これにより、下段のフランジ３と、下端係止部５０とがロックされる。
【００４６】
続いて、図８の工程では、他方の支柱１の上段のフランジ３の孔５に、上端係止部４１の先端部４２に挿通する。そして、他方の支柱１の下段のフランジ３においては、下端係止部５０におけるロック部材７０を引っぱり出しておいた上で、先端部５２を孔５に挿通し、ロック部材７０の第２シャフト部７７を下側貫通孔５７に貫入する。ロック部材７０は、バネ部材９０により第２シャフト部７７を下側貫通孔５７に貫入させる方向に付勢されているので、これにより、他方の支柱１においても、下段のフランジ３と、下端係止部５０とがロックされる。
【００４７】
以上のような工程が完了すると、２本の支柱１の両方において、下端係止部５０がロック部材７０によよって、フランジ３に対してロックされるので、本発明に係る妻側先行手摺り１０が２本の支柱１からが脱落することがない。
【００４８】
上記のような一連の工程で、本発明に係る妻側先行手摺り１０の支柱１への取り付けが完了し、支柱１から本発明に係る妻側先行手摺り１０を取り外す場合は、図６乃至図の工程を逆にたどることで、これを行うことができる。
【００４９】
以上、本発明に係る妻側先行手摺り１０は、仮設足場を構成する支柱１におけるフランジ３の孔５で係止される上端係止部４１及び下端係止部５０が一対の棹部材（主棹部材４０、副棹部材４５）のそれぞれに設けられており、このような本発明に係る妻側先行手摺り１０によれば、作業者の墜落の可能性を限りなく低減すると共に、構造を単純化できる。また、妻側先行手摺り１０を構成するための部品点数を削減することができるので、単体コストや製造コストを抑制することが可能となる。
【００５０】
また、本発明に係る妻側先行手摺り１０によれば、厚生労働省労働局・労働基準監督署により施行されている労働安全衛生規則（足場等関係）の足場等からの墜落防止措置としての規定である「高さ８５センチメートル以上の手摺り」に加え「中さん等」を設けることと、という規則を遵守することが可能となる。
【００５１】
また、本発明に係る妻側先行手摺り１０によれば、妻部においても、下層作業床から先行して手摺りをかけることができるので、例え、仮に作業者が安全帯の取り付けを忘れてしまったような場合でも、作業者の妻部からの墜落を防止することができる。
【符号の説明】
【００５２】
１・・・支柱
３・・・フランジ
５・・・孔
１０・・・妻側先行手摺り
１５・・・回動支軸部
２０・・・上側手摺り部材
３０・・・下側手摺り部材
４０・・・主棹部材
４１・・・上端係止部
４２・・・先端部
４４・・・ハンドル部
４５・・・副棹部材
４６・・・貫通孔
４７・・・貫通孔
５０・・・下端係止部
５２・・・先端部
５６・・・上側貫通孔
５７・・・下側貫通孔
７０・・・ロック部材
７１・・・第１円錐台部
７３・・・第１シャフト部
７４・・・第１屈曲部
７５・・・連結部
７６・・・第２屈曲部
７７・・・第２シャフト部
７８・・・第２円錐台部
８０・・・切り欠き溝
９０・・・バネ部材
９５・・・係止端部
【図１】
2020139301.tif 000003
【図２】
2020139301.tif 000004
【図３】
2020139301.tif 000005
【図４】
2020139301.tif 000006
【図５】
2020139301.tif 000007
【図６】
2020139301.tif 000008
【図７】
2020139301.tif 000009
【図８】
2020139301.tif 000010